(57)【要約】【課題】盗犯企図者が防護対策の機構部分を見破ることができないため、防盗性が一段と向上した自動販売機用不正開扉防止装置を提供する。【解決手段】筐体の側板部外面に固着される固定側部材と、扉の側板部外面に固着される回動側部材とからなり、前記固定側部材には、扉の側板部外面に沿って張り出した部分の背面側に、正面に向かって凹んだ空洞部を形成し、前記回動側部材には、正面側に突出したアーム部を形成し、閉扉位置において固定側部材の前記空洞部に回動側部材の前記アーム部を嵌め合わせて、ヒンジ軸に沿った方向への扉の移動を阻止する。【選択図】図４
2006252055.tif 000002
【特許請求の範囲】
【請求項１】
筐体の側板部外面に固着される固定側部材と、扉の側板部外面に固着される回動側部材とからなり、前記固定側部材には、扉の側板部外面に沿って張り出した部分の背面側に、正面に向かって凹んだ空洞部を形成し、前記回動側部材には、正面側に突出したアーム部を形成し、閉扉位置において固定側部材の前記空洞部に回動側部材の前記アーム部を嵌め合わせて、ヒンジ軸に沿った方向への扉の移動を阻止するようにした自動販売機用不正開扉防止装置。
【発明の詳細な説明】
【技術分野】
【０００１】
本発明は、扉が無権限者によって不正に開放され、筐体内部の売上金や商品が窃取されないようにする自動販売機用不正開扉防止装置に関する。
【背景技術】
【０００２】
自動販売機の筐体の前面開口部を閉塞する扉は、扉の吊元側端部の上面部と筐体の天板部との間に設けた上位ヒンジと、扉の吊元側端部の下面部と筐体の底板部との間に設けた下位ヒンジによって、筐体に回転自在に軸支されており、上位ヒンジ及び下位ヒンジとしてはピボット型ヒンジが一般に使用されている（特許文献１の従来技術の項参照）。
【０００３】
しかし、このようにピボット型ヒンジを使用した自動販売機では、筐体の底板部と扉の下面部の隙間にバールなどの工具を挿入して当該隙間を抉じ開け、ヒンジ軸を軸受孔から抜脱させることによって、筐体に対する扉の連結を解除し、扉を不正に開放してしまう盗犯事例が報告されている。
【０００４】
このような盗犯行為への対策として、ピボット型ヒンジのヒンジ板の外方端縁に防御板部を屈曲形成することによって、ヒンジ軸へのアクセスを防止することが提案されているが（特許文献１）、該防御板部は自動販売機の外部に露出しているため、盗犯企図者によって存在と機能を容易に見破られてしまい、該防御板部を切断したり、真直ぐに折り返すなどの対抗措置が講じられることになった。
【０００５】
【特許文献１】特開２００４−３８３７３号公報
【発明の開示】
【発明が解決しようとする課題】
【０００６】
本発明は、防護対策の機構部分を盗犯企図者により見破られないため、防盗性が一段と向上した自動販売機用不正開扉防止装置を提供することである。
【課題を解決するための手段】
【０００７】
請求項１の発明の不正開扉防止装置は、筐体の側板部外面に固着される固定側部材と、扉の側板部外面に固着される回動側部材とからなり、前記固定側部材には、扉の側板部外面に沿って張り出した部分の背面側に、正面に向かって凹んだ空洞部を形成し、前記回動側部材には、正面側に突出したアーム部を形成し、閉扉位置において固定側部材の前記空洞部に回動側部材の前記アーム部を嵌め合わせて、ヒンジ軸に沿った方向への扉の移動を阻止する。
【発明の効果】
【０００８】
請求項１の発明は、閉扉位置において固定側部材の前記空洞部に回動側部材の前記アーム部を嵌め合わせることによって、ヒンジ軸に沿った方向への扉の移動を阻止し、これによって筐体の底板部と扉の下面部の隙間の抉じ開けに伴うヒンジ軸の抜脱を阻止するものであるが、固定側部材の前記空洞部が扉の側板部外面に沿って張り出した部分の背面側に形成されており、回動側部材が該張り出し部分の裏側に隠されているため、盗犯企図者は自動販売機の外部からは防護対策の機構部分の構成と機能を見破ることができない。そのため、不正開扉防止装置が破壊されたり、部分的に歪曲変形させられて防護機能を喪失することがなく、高い防盗性を恒久的に維持することができる。
【実施例】
【０００９】
図示の実施例では、固定側部材１及び回動側部材２といった各構成部品は、金属材料によって機械的強度高く製作されている。固定側部材１は平面視流線形状に形成され、扉３の側板部４に沿った張り出し部分は、筐体５の側板部６に固着される部分よりも奥行き深く形成されている。固定側部材１を筐体５の側板部６に締付け固着する２本のボルト７は、丸頭型のボルトであり、ボルト７の丸頭部８は固定側部材１の正面側に形成した受溝９内に沈み込んでいる。
【００１０】
ボルト７の軸部１０は前記受溝９の底面に形成したスロット１１と調整用座金板１２の透孔１３及び側板部６の透孔１４を通って筐体５の内側に突き出ており、該突出部分に螺合されたナット１５は座金１６を介して固定側部材１を側板部６に締付け固着している。前記スロット１１は、筐体５の奥行き方向に長く形成されている。軸部１０の根元部１０ａは回り止めのために断面角型に形成されている。
前記調整用座金板１２は固定側部材１の背面に筐体５の奥行き方向に長く形成したガイド溝１７に嵌め込まれており、ガイド溝１７の背面部と調整用座金板１２の正面部には複数条の係合歯１８，１９が形成されている。筐体５の奥行き方向に調整用座金板１２の位置を調節した後、ナット１５の締め付けによって、前記係合歯同士が緊密に係合する。
【００１１】
固定側部材１の背面側の空洞部２０は、矩形状に内周面が閉じた形態に形成されており、正面視矩形状の回動側部材２の全周が該空洞部２０に嵌合されるようになっている。回動側部材２の上側外面２ａが空洞部２０の上側内面２０ａに当接することによって、扉３の押し上げ移動が阻止される一方、回動側部材２の下側外面２ｂが空洞部２０の下側内面２０ｂに当接することによって、扉３の押し下げ移動が的確に阻止されるため、防護機能が一段と向上する。
【００１２】
回動側部材２の背面側に形成した２本の取付脚部２１は、扉３の側板部４の透孔２２を通って扉３の内側に突出しており、該突出部分には座金筒２３が嵌められ、取付脚部２１の螺子孔２４には共通の座金板２５の透孔２６を通してボルト２７が捻じ込まれ、これによって回動側部材２が扉３の側板部４に締付け固着されている。回動側部材２のアーム部２８は、ヒンジ軸２９を中心とする円弧上に来るように形成されている。
【００１３】
固定側部材１の背面には前記空洞部２０の入口部分に筐体５の奥行き方向に突き出した舌片部３０が形成されており、該舌片部３０は前記アーム部２８と互いに抱き合うように係合している。そため、扉３を筐体５の奥行き方向に移動させようとする力と、扉３を筐体５の横幅方向に移動させようとする力のいずれにも対抗することができ、防護機能が更に前記アーム部２８と舌片部３０は、ヒンジ軸２９を中心とする扉３の開閉回転に際して、互いに干渉しない形状及び位置に形成されている。
【図面の簡単な説明】
【００１４】
【図１】本発明の一実施例に係る不正開扉防止装置を装備した自動販売機の要部の左側面図である。
【図２】図１の自動販売機の要部の正面図である。
【図３】図１の自動販売機の要部の背面図である。
【図４】図１のＡ−Ａ線断面図である。
【図５】図１の不正開扉防止装置の背面図である。
【符号の説明】
【００１５】
１  固定側部材
２  回動側部材
３  扉
４  扉の側板部
５  筐体
６  筐体の側板部
７  固定側部材の固着用ボルト
８  ボルトの丸頭部
９  受溝
１０  ボルトの軸部
１１  ボルト用スロット
１２  調整用座金板
１３  調整用座金板の透孔
１４  筐体側板部の透孔
１５  固定側部材の固着用ナット
１６  座金
１７  ガイド溝
１８  ガイド溝側の係合歯
１９  座金板側の係合歯
２０  固定側部材の空洞部
２１  回動側部材の取付脚部
２２  扉側板部の透孔
２３  座金筒
２４  取付脚の螺子孔
２５  共通座金板
２６  共通座金板の透孔
２７  回動側部材の固着用ボルト
２８  回動側部材のアーム部
２９  扉のヒンジ軸
３０  固定側部材の舌片部
３１  抉じ開け用工具
３２  支持脚
３３  設置床面
【図１】
2006252055.tif 000003
【図２】
2006252055.tif 000004
【図３】
2006252055.tif 000005
【図４】
2006252055.tif 000006
【図５】
2006252055.tif 000007